(57)【要約】  ハイダイナミックレンジの動画を表示する画像表示装置を提供する。  少なくとも、制御部と、光源部と、位相変調部と、強度変調部とを備えており、前記制御部は、画像信号に対応して、前記光源部、前記位相変調部、及び前記強度変調部のうち少なくともいずれか一つの駆動を制御し、前記位相変調部は、複数の位相変調画素群から成る位相変調パネルを有し、前記強度変調部は、複数の強度変調画素群から成る強度変調パネルを有し、前記光源部は、第１照明光を前記位相変調パネルに照射し、前記位相変調パネルは、前記光源部から照射された前記第１照明光の位相を変調し、所定の位相変調画素群ごとに第２照明光を分割し、所定の強度変調画素群ごとに前記強度変調パネルに前記第２照明光を照射し、前記強度変調パネルは、前記位相変調パネルから照射された前記第２照明光の強度を変調する、画像表示装置を提供する。
2020100695.tif 000002
【特許請求の範囲】
【請求項１】
少なくとも、制御部と、
光源部と、
位相変調部と、
強度変調部とを備えており、
前記制御部は、画像信号に対応して、前記光源部、前記位相変調部、及び前記強度変調部のうち少なくともいずれか一つの駆動を制御し、
前記位相変調部は、複数の位相変調画素群から成る位相変調パネルを有し、
前記強度変調部は、複数の強度変調画素群から成る強度変調パネルを有し、
前記光源部は、第１照明光を前記位相変調パネルに照射し、
前記位相変調パネルは、前記光源部から照射された前記第１照明光の位相を変調し、所定の位相変調画素群ごとに第２照明光を分割し、所定の強度変調画素群ごとに前記強度変調パネルに前記第２照明光を照射し、
前記強度変調パネルは、前記位相変調パネルから照射された前記第２照明光の強度を変調する、画像表示装置。
【請求項２】
前記位相変調パネル及び前記強度変調パネルは、線順次あるいはこれに準ずる順序で書き換えられる、請求項１に記載の画像表示装置。
【請求項３】
前記光源部は、コヒーレント光を照射する、請求項１に記載の画像表示装置。
【請求項４】
前記光源部は、レーザー光を照射する、請求項１に記載の画像表示装置。
【請求項５】
前記位相変調パネル及び／又は前記強度変調パネルは、液晶素子である、請求項１に記載の画像表示装置。
【請求項６】
前記位相変調パネル及び／又は前記強度変調パネルは、ＭＥＭＳミラーである、請求項１に記載の画像表示装置。
【請求項７】
前記位相変調パネルは、隣接する前記第２照明光の側端同士が重なり合うように前記第２照明光を照射する、請求項１に記載の画像表示装置。
【請求項８】
前記光源部は、不可視光線を照射する、請求項１に記載の画像表示装置。
【請求項９】
複数の前記光源部と、
複数の前記位相変調パネルと、
複数の前記強度変調パネルと、
合波器とをさらに備えており、
それぞれの前記光源部は、赤色、緑色、又は青色の前記第１照明光を照射し、
それぞれの前記位相変調パネルは、赤色、緑色、又は青色の前記２照明光を照射し、
それぞれの前記強度変調パネルは、赤色、緑色、又は青色の第３照明光を照射し、
前記合波器は、それぞれの前記強度変調パネルから照射された前記第３照明光を合波し照射する、請求項１に記載の画像表示装置。
【請求項１０】
前記合波器は、所定の波長の光を透過し、それ以外の波長の光を反射することにより、前記照明光を合波する、請求項９に記載の画像表示装置。
【請求項１１】
前記合波器は、ダイクロイックプリズムである、請求項９に記載の画像表示装置。
【請求項１２】
色分離器と、
複数の前記位相変調パネルと、
複数の前記強度変調パネルと、
合波器とをさらに備えており、
前記色分離器は、前記光源部から照射された白色照明光を、赤色、緑色、又は青色の前記照明光に色分離して、それぞれの前記位相変調パネルに照射し、
それぞれの前記位相変調パネルは、少なくとも赤色、緑色、及び青色の前記第２照明光を照射し、
それぞれの前記強度変調パネルは、少なくとも赤色、緑色、及び青色の第３照明光を照射し、
前記合波器は、それぞれの前記強度変調パネルから照射された前記第３照明光を合波し照射する、請求項１に記載の画像表示装置。
【請求項１３】
前記色分離器は、所定の波長の光を透過し、それ以外の波長の光を反射することにより、前記白色照明光の色要素を分離する、請求項１２に記載の画像表示装置。
【請求項１４】
前記色分離器は、ダイクロイックプリズムである、請求項１２に記載の画像表示装置。
【発明の詳細な説明】
【技術分野】
【０００１】
本技術は、画像表示装置に関する。
【背景技術】
【０００２】
近年、まるで現実世界のような明るさと色が表現できる画像表示技術に注目が集まっている。表現できる明るさの幅（ダイナミックレンジ）が狭い画像表示装置が画像を表示する場合、太陽などの各段に明るい部分はいわゆる白飛びして白く表示され、暗い部分はいわゆる黒つぶれして黒く表示されてしまう。その結果、画像表示装置が表示する画像は、現実の風景とは程遠い画像となってしまう。現実の風景はダイナミックレンジが広いため、より幅広いダイナミックレンジ（ハイダイナミックレンジ）で画像を表示できる技術が望まれている。ハイダイナミックレンジで画像を表示する先行技術が、特許文献１に開示されている。【０００３】
特許文献１では、コヒーレント光を供給する光源部と、前記光源部からの前記コヒーレント光の位相を変調して被照射面へ入射させる位相変調部と、を有し、前記位相変調部は、位相変調パターンに応じた回折光を生じさせながら前記コヒーレント光の位相を変化させることにより、前記被照射面にて設定された単位領域ごとに強度が調節された光を、前記被照射面へ入射させることを特徴とする照明装置が開示されている。特許文献１では、位相変調部が光を振り分けることにより、単位領域ごとに入射光の強度を変化させることが説明されている。
【先行技術文献】
【特許文献】
【０００４】
【特許文献１】特開２００８−１５０６４号公報
【発明の概要】
【発明が解決しようとする課題】
【０００５】
しかし、画像表示装置が動画をハイダイナミックレンジで表示するためには、技術的な問題点があった。【０００６】
動画は、例えばアニメーションのように、複数の静止画像（フレーム）が瞬時に切り替えられながら連続して表示されることにより、滑らかに動く動画として表示される。【０００７】
画像表示装置が備えている位相変調部は、光の回折によるホログラム再生により、画像信号に対応して光を振り分け、光のピーク輝度を向上させる機能を有する。位相変調部は、画像信号のフーリエ変換を位相変調部の全面で行う。そのため、位相変調部の一部の領域が、画像信号に対応して書き換えられている途中であっても、位相変調部の全面から強度変調部の全面へ、光が照射される。光の回折によるホログラム再生では、一部の領域が書き換えられている途中であっても、強度変調部の全面の再生が行われる。【０００８】
位相変調部は、例えば上端から下端に向かって順に書き換えられる。そのため、フレームが切り替わる途中においては、位相変調部が振り分ける光が、切り替わる前のフレームに対応した光と、切り替わった後のフレームに対応した光に分配される。光が分配された後に、いずれか一方のフレームに対応した光は不要と判断されて利用されず捨てられる。その結果、光のピーク輝度が低下するという問題点があった。【０００９】
そこで、本技術は、位相変調部が照射する光が分配されることによる光のピーク輝度の低下を防ぐことにより、ハイダイナミックレンジの動画を表示する画像表示装置を提供することを主目的とする。
【課題を解決するための手段】
【００１０】
本技術は、少なくとも、制御部と、光源部と、位相変調部と、強度変調部とを備えており、前記制御部は、画像信号に対応して、前記光源部、前記位相変調部、及び前記強度変調部のうち少なくともいずれか一つの駆動を制御し、前記位相変調部は、複数の位相変調画素群から成る位相変調パネルを有し、前記強度変調部は、複数の強度変調画素群から成る強度変調パネルを有し、前記光源部は、第１照明光を前記位相変調パネルに照射し、前記位相変調パネルは、前記光源部から照射された前記第１照明光の位相を変調し、所定の位相変調画素群ごとに第２照明光を分割し、所定の強度変調画素群ごとに前記強度変調パネルに前記第２照明光を照射し、前記強度変調パネルは、前記位相変調パネルから照射された前記第２照明光の強度を変調する、画像表示装置を提供する。
前記位相変調パネル及び前記強度変調パネルは、線順次あるいはこれに準ずる順序で書き換えられてもよい。
前記光源部は、コヒーレント光を照射することができる。
前記光源部は、レーザー光を照射することができる。
前記位相変調パネル及び／又は前記強度変調パネルは、液晶素子であってもよい。
前記位相変調パネル及び／又は前記強度変調パネルは、ＭＥＭＳミラーであってもよい。
前記位相変調パネルは、隣接する前記第２照明光の側端同士が重なり合うように前記第２照明光を照射してもよい。
前記光源部は、不可視光線を照射することができる。
また、本技術は、複数の前記光源部と、複数の前記位相変調パネルと、複数の前記強度変調パネルと、合波器とをさらに備えており、それぞれの前記光源部は、赤色、緑色、又は青色の前記第１照明光を照射し、それぞれの前記位相変調パネルは、赤色、緑色、又は青色の前記２照明光を照射し、それぞれの前記強度変調パネルは、赤色、緑色、又は青色の第３照明光を照射し、前記合波器は、それぞれの前記強度変調パネルから照射された前記第３照明光を合波し照射する、画像表示装置を提供する。
前記合波器は、所定の波長の光を透過し、それ以外の波長の光を反射することにより、前記照明光を合波することができる。
前記合波器は、ダイクロイックプリズムであってもよい。
また、本技術は、色分離器と、複数の前記位相変調パネルと、複数の前記強度変調パネルと、合波器とをさらに備えており、前記色分離器は、前記光源部から照射された白色照明光を、赤色、緑色、又は青色の前記照明光に色分離して、それぞれの前記位相変調パネルに照射し、それぞれの前記位相変調パネルは、少なくとも赤色、緑色、及び青色の前記第２照明光を照射し、それぞれの前記強度変調パネルは、少なくとも赤色、緑色、及び青色の第３照明光を照射し、前記合波器は、それぞれの前記強度変調パネルから照射された前記第３照明光を合波し照射する、画像表示装置を提供する。
前記色分離器は、所定の波長の光を透過し、それ以外の波長の光を反射することにより、前記白色照明光の色要素を分離することができる。
前記色分離器は、ダイクロイックプリズムであってもよい。
【図面の簡単な説明】
【００１１】
【図１】本技術に係る画像表示装置の全体構成図である。
【図２】ある動画のＮ番目のフレームの映像信号である。
【図３】ある動画のＮ＋１番目のフレームの映像信号である。
【図４】本技術に係る位相変調パネルの位相変調パターンが経時的に変化する様子である。
【図５】本技術に係る位相変調パネルの位相変調パターン、強度変調パネルに照射される照明光パターン、及び強度変調パネルの表示画像パターンが経時的に変化する様子である。
【図６】本技術に係る強度変調パネルである。
【図７】本技術に係る画像表示装置の全体構成図である。
【図８】本技術に係る画像表示装置の全体構成図である。
【図９】本技術に係る位相変調パネルの位相変調パターンが経時的に変化する様子である。
【発明を実施するための形態】
【００１２】
以下、本技術を実施するための好適な形態について、添付した図面を参照しつつ説明する。なお、以下に説明する実施形態は、本技術の代表的な実施形態を示したものであり、本技術の範囲がこれらの実施形態に限定されることはない。なお、本技術の説明は以下の順序で行う。
１．本技術に係る第１の実施形態（単色光）
２．本技術に係る第２の実施形態（照明光の重なり合い）
３．本技術に係る第３の実施形態（不可視光線）
４．本技術に係る第４の実施形態（フルカラー（１））
５．本技術に係る第５の実施形態（フルカラー（２））
６．本技術に係る第６の実施形態（ブロック単位）
【００１３】
１．本技術に係る第１の実施形態（単色光）
【００１４】
本技術に係る画像表示装置の全体構成図を図１に示す。本技術に係る画像表示装置は、少なくとも光源部１と、位相変調部２と、強度変調部３と、制御部４とを備える。光源部１と、強度変調部３の間に、位相変調部２が配置されている。
【００１５】
位相変調部２は、位相変調パネル２ａと、位相変調パネル駆動部２ｂとを有する。位相変調パネル２ａは、複数の位相変調画素群から成る。本実施形態においては、位相変調パネル２ａは、上半分の位相変調画素群２ａ１と、下半分の位相変調画素群２ａ２から成る。
【００１６】
強度変調部３は、強度変調パネル３ａと、強度変調パネル駆動部３ｂとを有する。強度変調パネル３ａは、複数の強度変調画素群から成る。本実施形態においては、強度変調パネル３ａは、上半分の強度変調画素群３ａ１と、下半分の強度変調画素群３ａ２から成る。
【００１７】
光源部１は、第１照明光２１を位相変調パネル２ａに照射する。位相変調パネル２ａは、照射された第１照明光２１の位相を変調し、強度変調パネル３ａに第２照明光２２を照射する。強度変調パネル３ａは、照射された第２照明光２２の強度を変調し、レンズ５に第３照明光２３を照射する。レンズ５は、第４照明光２４をスクリーン６に投影する。
【００１８】
＜制御部＞
制御部４は、スクリーン６に投影する画像の画像信号に対応して、光源部１、位相変調部２、及び強度変調部３のうち少なくともいずれか一つの駆動を制御する。
【００１９】
制御部４は、画像信号から、空間周波数における低周波成分を取り出し、位相変調パネル再生信号を生成する。続いて、制御部４は、画像信号を位相変調パネル再生信号で割ることにより、強度変調パネル再生信号を生成する。
【００２０】
制御部４は、位相変調パネル再生信号を位相変調パネル駆動部２ｂに入力する。同様に、制御部４は、強度変調パネル再生信号を強度変調パネル駆動部３ｂに入力する。
【００２１】
＜光源部＞
光源部１は、単色光である第１照明光２１を照射する。光源部１は、公知のものを利用できる。
【００２２】
光源部１は、第１照明光２１として、コヒーレント光を照射することが望ましい。コヒーレント光であることにより、位相変調パネル２ａは、良好な回折特性を得ることができる。
【００２３】
さらには、光源部１は、点光源であり、第１照明光２１として、例えばレーザー光を照射することが望ましい。光源部１が点光源であることにより、画像表示装置は、光の利用効率を向上させることができるとともに、光学系を小型化できる。
【００２４】
＜位相変調部＞
位相変調パネル駆動部２ｂは、制御部４から入力された位相変調パネル再生信号に対応して、位相変調パネル２ａの駆動信号を生成し、位相変調パネル２ａの画素群に位相変調パターンを線順次に印加する。言い換えると、位相変調パネル２ａは、線順次に書き換えられる。
【００２５】
ここで、パネルが書き換えられる方式として、例えば面走査方式や線順次走査（プログレッシブ）方式等がある。
【００２６】
パネルは、複数の画素が集まって構成されている。面走査方式とは、全ての画素が一括して書き換えられる方式である。パネルが書き換えられる際に、全画素分の情報が一括して記憶される必要があるため、面走査方式は、その情報が記憶されるメモリの容量が大きくなるというデメリットがある。また、面走査方式は、画素数が多くなるほど、パネル内の電気回路の構成が複雑になるというデメリットがある。
【００２７】
一方、線順次走査方式とは、パネルの水平又は垂直方向に、画素が順次書き換えられる方式である。水平方向に画素が書き換えられる場合、パネルの左端から右端に向かって、あるいは右端から左端に向かって、画素が順次書き換えられる。垂直方向に画素が書き換えられる場合、パネルの上端から下端に向かって、あるいは下端から上端に向かって、画素が順次書き換えられる。
【００２８】
線順次走査方式は、面走査方式と比較して、メモリの容量をより小さくすることができ、パネル内の電気回路の構成をよりシンプルにすることができるというメリットがある。したがって、面走査方式よりも、線順次走査方式が望ましい。本技術に係る実施形態は、線順次走査方式とする。
【００２９】
位相変調パネル２ａは、例えば液晶素子を利用することができる。液晶素子を利用することにより、位相変調パネル２ａは、容易に位相変調パターンを変化させることができる。あるいは、位相変調パネル２ａは、ＭＥＭＳミラーを利用してもよい。ＭＥＭＳミラーは、液晶素子に比べて高速にミラーのパターンを変化させることができる。
【００３０】
位相変調パネル２ａは、この位相変調パターンに応じて、第１照射光２１を振り分けて、回折光（第２照明光２２）を生じさせる。このことにより、位相変調パネル２ａは、輝度が高い領域に多くの照明光を集める。その結果、ピーク輝度が向上する。
【００３１】
そして、位相変調パネル２ａは、所定の位相変調画素群ごとに第２照明光２２を分割し、所定の強度変調画素群ごとに前記強度変調パネルに照射する。図１に示す実施形態では、位相変調パネル２ａにおける上半分の位相変調画素群２ａ１から、強度変調パネル３ａにおける上半分の強度変調画素群３ａ１へ、第２照明光２２が照射される。同様に、位相変調パネル２ａにおける下半分の位相変調画素群２ａ２から、強度変調パネル３ａにおける下半分の強度変調画素群３ａ２へ、第２照明光２２が照射される。
【００３２】
このように、所定の画素群ごとに第２照明光２２を分割することにより、画像表示装置は、第２照明光２２のピーク輝度の低下を防止できる。なお、本技術の効果については、具体的な画像を用いて別途説明する。
【００３３】
なお、図１の一実施形態においては、位相変調パネル２ａ及び強度変調パネル３ａは、それぞれ２つの画素群に分割されているが、３つ以上の画素群に分割されてもよい。
【００３４】
さらに、パネルを複数の画素群に分割するにあたり、それぞれの画素群の画素数（面積）は、均等でなくてもよいし、画像に対応して動的に変動してもよい。例えば、フレームごとに明るさと暗さが激しく切り替わる領域と、そうでない領域とに、パネルが分割されてもよい。
【００３５】
＜強度変調部＞
強度変調パネル駆動部３ｂは、制御部４から入力された強度変調パネル再生信号に対応して、ガンマ補正等を行うことにより、強度変調パネル３ａの駆動信号を生成し、強度変調パネル３ａの画素群に表示画像パターンを線順次に印加する。言い換えると、強度変調パネル３ａは、線順次に書き換えられる。
【００３６】
強度変調パネル３ａは、例えば液晶素子を利用することができる。液晶素子を利用することにより、強度変調パネル３ａは、容易に表示画像パターンを変化させることができる。あるいは、強度変調パネル３ａは、ＭＥＭＳミラーを利用してもよい。ＭＥＭＳミラーは、液晶素子に比べて高速にミラーのパターンを変化させることができる。ＭＥＭＳミラーを強度変調パネル３ａに利用する例として、例えばＤＭＤ（Digital Micromirror Device）等がある。
【００３７】
強度変調パネル３ａは、この表示画像パターンに対応して、位相変調パネル２ａから照射された第２照明光２２の透過光量を調整する。このことにより、画像において明るい領域は明るく表示され、暗い領域は暗く表示される。画像表示装置は、位相変調と強度変調を組み合わせることにより、ハイダイナミックレンジの画像を表示できる。
【００３８】
そして、強度変調パネル３ａは、第３照明光２３をレンズ５に照射する。
【００３９】
＜レンズ＞
画像表示装置は、さらにレンズ５を備えることができる。レンズ５は、第４照明光２４をスクリーン６に投影する。レンズ５は、公知のものを利用できる。
【００４０】
次に、本技術の効果について、具体的な画像を用いて説明する。画像表示装置を上記の構成とした場合において、位相変調パネル２ａの位相変調パターン、強度変調パネル３ａに照射される照明光パターン、及び強度変調パネル３ａの表示画像パターンが、経時的に変化する様子について、図２、図３、図４、及び図５を用いて説明する。
【００４１】
ある動画において、例えばＮ番目のフレームの映像信号が図２に示す画像であったとする。図２に示すように、Ｎ番目のフレームでは、左側に明るい領域があり、それ以外の領域は暗くなっている。そして、例えばその次のＮ＋１番目のフレームの映像信号が図３に示す画像であったとする。図３に示すように、Ｎ＋１番目のフレームでは、右側に明るい領域があり、それ以外の領域は暗くなっている。
【００４２】
位相変調パネルの位相変調パターンが経時的に変化する様子を図４に示す。図４において、横軸は時間の経過を示す。右に行くほど、時間が経過していることを示す。縦軸は、位相変調パネルの位相変調パターンを示す。この例では、位相変調パネルは、２つの位相変調画素群（２ａ１と２ａ２）に分割されており、位相変調パネルの上端から下端に向かって線順次に書き換えられている。はじめに、位相変調パネルの上半分の位相変調画素群２ａ１が書き換えられている。その後、位相変調パネルの下半分の位相変調画素群２ａ２が書き換えられている。
【００４３】
左上から右下へ向かう斜めの線で区切られた領域は、フレームを示す。図２で示されたＮ番目のフレームが、図４における８ａである。図３で示されたＮ＋１番目のフレームが、図４における８ｂである。図４に示すように、Ｎ番目のフレーム８ａに対応して位相変調パネルが線順次に書き換えられた後に、Ｎ＋１番目のフレーム８ｂに対応して位相変調パネルが線順次に書き換えられている。
【００４４】
時間ｔ１、ｔ２、ｔ３、ｔ４、及びｔ５の時点における、位相変調パネルの位相変調パターン、強度変調パネルに照射される照明光パターン、及び強度変調パネルの表示画像パターンを図５に示す。強度変調パネルに照射される照明光パターンについては、強度変調パネルに照射される第２照明光２２を分割しない場合の照明光パターン（７ａ〜７ｅ）と、本技術のように第２照明光２２を分割した場合の照明光パターン（９ａ〜９ｅ）を示す。
【００４５】
時間ｔ１の時点では、位相変調パネルの位相変調パターンは、図４及び図５（左端の列）に示す通り、全てＮ番目のフレーム８ａに対応している。
【００４６】
このときの、位相変調パネルから強度変調パネルに照射される第２照明光２２のパターンを図５に示す。第２照明光２２を分割しない場合は、照明光パターンは７ａの状態になる。第２照明光２２を分割した場合は、照明光パターンは９ａの状態になる。いずれの照明光パターンもＮ番目のフレーム８ａ（図２）に対応している。
【００４７】
このとき、画像表示装置が表示する画像は、強度変調パネルの表示画像パターン１０ａとなる。強度変調パネルの表示画像パターン１０ａは、位相変調パネルの位相変調パターンと同様に、全てＮ番目のフレーム８ａ（図２）に対応している。強度変調パネルに照射される照明光のパターンと、強度変調パネルの表示画像パターンは、一致している。
【００４８】
次に、時間ｔ２の時点では、位相変調パネルの位相変調パターンは、図４及び図５（左端の列）に示す通り、上端から４分の１までがＮ＋１番目のフレーム８ｂに対応しており、残りがＮ番目のフレーム８ａに対応している。
【００４９】
このときの、位相変調パネルから強度変調パネルに照射される第２照明光２２のパターンを図５に示す。第２照明光２２を分割しない場合は、照明光パターンは７ｂの状態になる。一方、第２照明光２２を分割した場合は、照明光パターンは９ｂの状態になる。
【００５０】
第２照明光２２を分割しない場合の照明光パターン７ｂについて説明する。位相変調パネルの上端から４分の１までがＮ＋１番目のフレーム８ｂ（図３）に対応しているため、第２照明光２２の４分の１がＮ＋１番目のフレーム８ｂ（図３）に分配されている。そして、位相変調パネルの残りの領域がＮ番目のフレーム８ａ（図２）に対応しているため、第２照明光２２の４分の３がＮ番目のフレーム８ａ（図２）に分配されている。
【００５１】
ここで、画像表示装置がＮ番目のフレーム８ａ（図２）とＮ＋１番目のフレーム８ｂ（図３）を表示する場合に、これらのフレームが本来表示されるべきピーク輝度を１００％とする。このとき、第２照明光２２の分配により、Ｎ＋１番目のフレーム８ｂ（図３）に対応した第２照明光２２のピーク輝度が２５％となり、Ｎ番目のフレーム８ａ（図２）に対応した第２照明光２２のピーク輝度が７５％となる。
【００５２】
このとき、画像表示装置が表示する画像は、強度変調パネルの表示画像パターン１０ｂとなる。強度変調パネルの表示画像パターン１０ｂは、位相変調パネルの位相変調パターンと同様に、上端から４分の１までがＮ＋１番目のフレーム８ｂ（図３）に対応しており、残りがＮ番目のフレーム８ａ（図２）に対応している。両方のフレームが、上端から４分の１までは暗い領域であるため、強度変調パネルの表示画像パターン１０ｂは、Ｎ番目のフレーム８ａ（図２）に対応していることになる。
【００５３】
ピーク輝度の低下を防止するためには、強度変調パネルに照射される照明光パターンと、強度変調パネルの表示画像パターンが一致している時間が長いことが望ましい。しかしながら、上述したように、第２照明光２２を分割しない場合の照明光パターン７ｂは、第２照明光２２の４分の１がＮ＋１番目のフレーム８ｂ（図３）に分配される。そのため、この照明光は、強度変調パネルの表示画像パターン１０ｂと一致せず捨てられる。したがって、第２照明光２２のピーク輝度が７５％（４分の３）に低下してしまう。
【００５４】
続いて、本技術のように第２照明光２２を分割した場合の照明光パターン９ｂについて説明する。位相変調パネルの上端から４分の１までが書き換えられているということは、位相変調パネルにおける上半分の位相変調画素群２ａ１においては、当該画素群の上半分が書き換えられているということである。つまり、位相変調パネルにおける上半分の位相変調画素群２ａ１から照射される第２照明光２２は、照明光の半分がＮ＋１番目のフレーム８ｂ（図３）に分配されており、残りの半分がＮ番目のフレーム８ａ（図２）に分配されている。
【００５５】
一方、位相変調パネルにおける下半分の位相変調画素群２ａ２から照射される第２照明光２２は、全てＮ番目のフレーム８ａ（図２）に対応している。第２照明光２２が分配されておらず、ピーク輝度が低下していない。
【００５６】
第２照明光２２は、位相変調パネルにおける下半分の位相変調画素群２ａ２から、強度変調パネルにおける下半分の強度変調画素群３ａ２へ照射される。照明光パターン９ｂの下半分と、表示画像パターン１０ｂの下半分は一致している。したがって、強度変調パネルの表示画像パターン１０ｂにおける明るい領域は、ピーク輝度が１００％のままである。
【００５７】
次に、時間ｔ３の時点では、位相変調パネルの位相変調パターンは、図４及び図５（左端の列）に示す通り、上半分がＮ＋１番目のフレーム８ｂに対応しており、下半分がＮ番目のフレーム８ａに対応している。
【００５８】
このときの、位相変調パネルから強度変調パネルに照射される第２照明光２２のパターンを図５に示す。第２照明光２２を分割しない場合は、照明光パターンは７ｃの状態になる。一方、第２照明光２２を分割した場合は、照明光パターンは９ｃの状態になる。
【００５９】
第２照明光２２を分割しない場合の照明光パターン７ｃについて説明する。位相変調パネルの上半分がＮ＋１番目のフレーム８ｂ（図３）に対応しているため、第２照明光２２の半分がＮ＋１番目のフレーム８ｂ（図３）に分配されている。そして、位相変調パネルの下半分がＮ番目のフレーム８ａ（図２）に対応しているため、第２照明光２２の残りの半分がＮ番目のフレーム８ａ（図２）に分配されている。Ｎ＋１番目のフレーム８ｂ（図３）に対応した第２照明光２２のピーク輝度が５０％となり、Ｎ番目のフレーム８ａ（図２）に対応した第２照明光２２のピーク輝度が５０％となる。
【００６０】
このとき、画像表示装置が表示する画像は、強度変調パネルの表示画像パターン１０ｃとなる。強度変調パネルの表示画像パターン１０ｃは、位相変調パネルの位相変調パターンと同様に、上半分がＮ＋１番目のフレーム８ｂ（図３）に対応しており、下半分がＮ番目のフレーム８ａ（図２）に対応している。位相変調パネルから強度変調パネルへ、Ｎ＋１番目のフレーム８ｂ（図３）に対応したピーク輝度５０％の第２照明光２２と、Ｎ番目のフレーム８ａ（図２）に対応したピーク輝度５０％の第２照明光２２が照射される。それぞれのフレームにおいて、ピーク輝度が５０％に低下している。
【００６１】
続いて、本技術のように第２照明光２２を分割した場合の照明光パターン９ｃについて説明する。位相変調パネルにおける上半分の位相変調画素群２ａ１から照射される第２照明光２２は、全てＮ＋１番目のフレーム８ｂ（図３）に対応している。位相変調パネルにおける下半分の位相変調画素群２ａ２から照射される第２照明光２２は、全てＮ番目のフレーム８ａ（図２）に対応している。第２照明光２２が分配されておらず、ピーク輝度が低下していない。
【００６２】
第２照明光２２は、位相変調パネルにおける上半分の位相変調画素群２ａ１から、強度変調パネルにおける上半分の強度変調画素群３ａ１へ照射される。また、第２照明光２２は、位相変調パネルにおける下半分の位相変調画素群２ａ２から、強度変調パネルにおける下半分の強度変調画素群３ａ２へ照射される。照明光パターン９ｃと、表示画像パターン１０ｃは一致している。したがって、強度変調パネルの表示画像パターン１０ｃにおける明るい領域は、ピーク輝度が１００％のままである。
【００６３】
次に、時間ｔ４の時点では、位相変調パネルの位相変調パターンは、図４及び図５（左端の列）に示す通り、上端から４分の３までがＮ＋１番目のフレーム８ｂに対応しており、残りがＮ番目のフレーム８ａに対応している。
【００６４】
このときの、位相変調パネルから強度変調パネルに照射される第２照明光２２のパターンを図５に示す。第２照明光２２を分割しない場合は、照明光パターンは７ｄの状態になる。一方、第２照明光２２を分割した場合は、照明光パターンは９ｄの状態になる。
【００６５】
第２照明光２２を分割しない場合の照明光パターン７ｄについて説明する。位相変調パネルの上端から４分の３までがＮ＋１番目のフレーム８ｂ（図３）に対応しているため、第２照明光２２の４分の３がＮ＋１番目のフレーム８ｂ（図３）に分配されている。そして、位相変調パネルの残りの領域がＮ番目のフレーム８ａ（図２）に対応しているため、第２照明光２２の４分の１がＮ番目のフレーム８ａ（図２）に分配されている。Ｎ＋１番目のフレーム８ｂ（図３）に対応した第２照明光２２のピーク輝度が７５％となり、Ｎ番目のフレーム８ａ（図２）に対応した第２照明光２２のピーク輝度が２５％となる。
【００６６】
このとき、画像表示装置が表示する画像は、強度変調パネルの表示画像パターン１０ｄとなる。強度変調パネルの表示画像パターン１０ｄは、位相変調パネルの位相変調パターンと同様に、上端から４分の３までがＮ＋１番目のフレーム８ｂ（図３）に対応しており、残りがＮ番目のフレーム８ａ（図２）に対応している。両方のフレームが、下端から４分の１までは暗い領域であるため、強度変調パネルの表示画像パターン１０ｄは、Ｎ＋１番目のフレーム８ｂ（図３）に対応していることになる。
【００６７】
上述したように、ピーク輝度の低下を防止するためには、強度変調パネルに照射される照明光パターンと、強度変調パネルの表示画像パターンが一致している時間が長いことが望ましい。しかしながら、第２照明光２２を分割しない場合の照明光パターン７ｄは、第２照明光２２の４分の１がＮ番目のフレーム８ａ（図２）に分配される。そのため、この照明光は、強度変調パネルの表示画像パターン１０ｄと一致せず捨てられる。したがって、第２照明光２２のピーク輝度が７５％（４分の３）に低下してしまう。
【００６８】
続いて、本技術のように第２照明光２２を分割した場合の照明光パターン９ｄについて説明する。位相変調パネルの上端から４分の３までが書き換えられているということは、位相変調パネルにおける下半分の位相変調画素群２ａ２においては、当該画素群の上半分が書き換えられているということである。つまり、位相変調パネルにおける下半分の位相変調画素群２ａ２から照射される第２照明光２２は、照明光の半分がＮ＋１番目のフレーム８ｂ（図３）に分配されており、残りの半分がＮ番目のフレーム８ａ（図２）に分配されている。
【００６９】
一方、位相変調パネルにおける上半分の位相変調画素群２ａ１から照射される第２照明光２２は、全てＮ＋１番目のフレーム８ｂ（図３）に対応している。第２照明光２２が分配されておらず、ピーク輝度が低下していない。
【００７０】
第２照明光２２は、位相変調パネルにおける上半分の位相変調画素群２ａ１から、強度変調パネルにおける上半分の強度変調画素群３ａ１へ照射される。照明光パターン９ｄの上半分と、表示画像パターン１０ｄの上半分は一致している。したがって、強度変調パネルの表示画像パターン１０ｄにおける明るい領域は、ピーク輝度が１００％のままである。
【００７１】
最後に、時間ｔ５の時点では、位相変調パネルの位相変調パターンは、図４及び図５（左端の列）に示す通り、全ての位相変調画素群がＮ＋１番目のフレーム８ｂに対応している。
【００７２】
このときの、位相変調パネルから強度変調パネルに照射される第２照明光２２のパターンを図５に示す。第２照明光２２を分割しない場合は、照明光パターンは７ｅの状態になる。第２照明光２２を分割した場合は、照明光パターンは９ｅの状態になる。いずれの照明光パターンもＮ＋１番目のフレーム８ｂ（図３）に対応している。
【００７３】
このとき、画像表示装置が表示する画像は、強度変調パネルの表示画像パターン１０ｅとなる。強度変調パネルの表示画像パターン１０ｅは、位相変調パネルの位相変調パターンと同様に、全てＮ＋１番目のフレーム８ｂ（図３）に対応している。強度変調パネルに照射される照明光パターンと、強度変調パネルの表示画像パターンは、一致している。
【００７４】
上述したように、ピーク輝度の低下を防止するためには、強度変調パネルに照射される照明光パターンと、強度変調パネルの表示画像パターンが一致している時間が長いことが望ましい。ところが、位相変調パネルが照射する第２照明光２２を分割しない場合、強度変調パネルに照射される照明光パターンと、強度変調パネルの表示画像パターンが一致する時間が非常に短くなる。図５の例を引用すると、強度変調パネルに照射される照明光パターン（７ａ〜７ｅ）と、強度変調パネルの表示画像パターン（１０ａ〜１０ｅ）が一致している時間は、時間ｔ１の瞬間（７ａと１０ａ）と、時間ｔ５の瞬間（７ｅと１０ｅ）のみである。
【００７５】
一方、本技術では、図５に示すように、時間ｔ１から時間ｔ３までの間は、強度変調パネルに照射される照明光パターン（９ａ〜９ｃ）の下半分と、強度変調パネルの表示画像パターン（１０ａ〜１０ｃ）の下半分が一致している。そして、時間ｔ３から時間ｔ５までの間は、強度変調パネルに照射される照明光パターン（９ｃ〜９ｅ）の上半分と、強度変調パネルの表示画像パターン（１０ｃ〜１０ｅ）の上半分が一致している。
【００７６】
強度変調パネルに照射される照明光パターンと、強度変調パネルの表示画像パターンが一致する時間が長くなるほど、強度変調パネルが調整する透過光量が多くなる。その結果、ダイナミックレンジの幅が広がるため、画像表示装置はハイダイナミックレンジで画像等を表示できる。位相変調パネルが照射する第２照明光２２を分割しない場合、ピーク輝度が１００％のままで表示できる時間が非常に限られる。一方、本技術では、第２照明光２２を分割することにより、常にピーク輝度が１００％のままである。このことにより、ダイナミックレンジの低下が防止できる。
【００７７】
２．本技術に係る第２の実施形態（照明光の重なり合い）
【００７８】
本技術に係る画像表示装置は、位相変調パネルが、隣接する照明光の側端同士が重なり合うように照明光を照射してもよい。隣接する照明光の側端同士が重なり合うように照射されている強度変調パネルの図面を図６に示す。
【００７９】
図６は、本技術に係る強度変調パネルである。図６に示すように、強度変調パネルの上半分の強度変調画素群３ａ１に照射される照明光の側端と、下半分の強度変調画素群３ａ２に照射される照明光の側端が、領域３ａ３において重なり合っている。
【００８０】
上半分の強度変調画素群３ａ１に照射される照明光と、下半分の強度変調画素群３ａ２に照射される照明光を重ね合わせない場合、上半分の強度変調画素群３ａ１に照射される照明光と、下半分の強度変調画素群３ａ２に照射される照明光との間に、照明光が照射されない領域が発生するおそれがある。また、照明光が照射される位置がわずかにずれるおそれもある。その結果、上半分の照明光と下半分の照明光の境界が目立ってしまう。
【００８１】
一方、隣接する照明光の側端同士が重なり合うように、位相変調パネルが照明光を照射することにより、照明光の境界が目立ちにくくなるという有用な効果が生じる。
【００８２】
さらに、照明光が重なり合う領域３ａ３に照射される照明光の輝度を滑らかに減衰することにより、照明光の境界をより目立ちにくくさせることができる。
【００８３】
３．本技術に係る第３の実施形態（不可視光線）
【００８４】
本技術に係る画像表示装置が備える光源部は、可視光線のほかに、不可視光線も照射してもよい。不可視光線は、赤外線や紫外線のことを示す。
【００８５】
光源部が照射する照明光が赤外線であれば、本技術に係る画像表示装置は、例えば暗視装置等に応用できる。光源部が照射する照明光が紫外線であれば、本技術に係る画像表示装置は、例えば紫外線に反応して蛍光するスクリーン等に投影するプロジェクタ等に応用できる。
【００８６】
４．本技術に係る第４の実施形態（フルカラー（１））
【００８７】
本技術に係る画像表示装置は、複数の光源部と、複数の位相変調パネルと、複数の強度変調パネルと、合波器とをさらに備えることができる。本技術に係る一実施形態の全体構成図を図７に示す。
【００８８】
画像表示装置は、複数の光源部を備える。それぞれの光源部は、例えば赤色、緑色、又は青色などの照明光を照射する。図７に示す一実施形態では、画像表示装置は、赤色照明光を照射する赤色光源部１Ｒと、緑色照明光を照射する緑色光源部１Ｇと、青色照明光を照射する青色光源部１Ｂとを備える。
【００８９】
なお、画像表示装置は、必ずしもこのように３色の光源部を備える必要はなく、４色以上でもよい。以下の構成要素についても同様である。
【００９０】
画像表示装置は、複数の位相変調パネルを備える。それぞれの位相変調パネルは、例えば赤色、緑色、又は青色の照明光を照射する。図７に示す一実施形態では、画像表示装置は、赤色位相変調パネル２ａＲ、緑色位相変調パネル２ａＧ、及び青色位相変調パネル２ａＢを備える。
【００９１】
画像表示装置は、複数の強度変調パネルを備える。それぞれの強度変調パネルは、例えば赤色、緑色、又は青色などの照明光を照射する。図７に示す一実施形態では、画像表示装置は、赤色強度変調パネル３ａＲ、緑色強度変調パネル３ａＧ、及び青色強度変調パネル３ａＢを備える。
【００９２】
赤色位相変調パネル２ａＲは、赤色光源部１Ｒから照射された赤色照明光の位相を変調し、赤色強度変調パネル３ａＲに赤色照明光を照射する。緑色位相変調パネル２ａＧは、緑色光源部１Ｇから照射された緑色照明光の位相を変調し、緑色強度変調パネル３ａＧに緑色照明光を照射する。青色位相変調パネル２ａＢは、青色光源部１Ｂから照射された青色照明光の位相を変調し、青色強度変調パネル３ａＢに青色照明光を照射する。
【００９３】
画像表示装置は、それぞれの強度変調パネルから照射された照明光を合波し照射する合波器１１を備える。図７に示す一実施形態では、合波器１１は、赤色強度変調パネル３ａＲから照射された赤色照明光と、緑色強度変調パネル３ａＧから照射された緑色照明光と、青色強度変調パネル３ａＢから照射された青色照明光とを合波する。合波器１１は、合波した照明光をレンズ５に照射する。
【００９４】
合波器１１は、所定の波長の光を透過し、それ以外の波長の光を反射することにより、照明光を合波する。一例をあげれば、ダイクロイックプリズム等を合波器１１に利用できる。
【００９５】
このように、複数の単色光を合波器１１で合波することにより、画像表示装置は、フルカラーの画像及び動画を表示できる。
【００９６】
その他の構成要素は、第１の実施形態と同様であるため、詳細な説明は割愛する。それぞれの位相変調パネル及びそれぞれの強度変調パネルは、複数の画素群から成り、画素群ごとに照明光が分割されることはいうまでもない。
【００９７】
５．本技術に係る第５の実施形態（フルカラー（２））
【００９８】
本技術に係る画像表示装置は、色分離器と、複数の位相変調パネルと、複数の強度変調パネルと、合波器とをさらに備えることができる。本技術に係る一実施形態の全体構成図を図８に示す。
【００９９】
画像表示装置は、色分離器１２を備える。色分離器１２は、光源部が照射した白色照明光を、例えば赤色、緑色、又は青色などの照明光に色分離する。図８に示す一実施形態では、色分離器１２は、光源部１が照射した白色照明光を、例えば赤色、緑色、及び青色などの照明光に色分離する。
【０１００】
なお、色分離器は、必ずしもこのように３色に色分離する必要はなく、４色以上に色分離してもよい。以下の構成要素についても同様である。
【０１０１】
色分離器１２は、所定の波長の光を透過し、それ以外の波長の光を反射することにより、照明光の色要素を分離する。一例をあげれば、ダイクロイックプリズム等を色分離器１２に利用できる
【０１０２】
画像表示装置は、複数の位相変調パネルを備える。それぞれの位相変調パネルは、少なくとも赤色、緑色、及び青色の照明光を照射する。図８に示す一実施形態では、画像表示装置は、赤色位相変調パネル２ａＲ、緑色位相変調パネル２ａＧ、及び青色位相変調パネル２ａＢを備える。
【０１０３】
画像表示装置は、複数の強度変調パネルを備える。それぞれの強度変調パネルは、少なくとも赤色、緑色、及び青色の照明光を照射する。図８に示す一実施形態では、画像表示装置は、赤色強度変調パネル３ａＲ、緑色位相変調パネル３ａＧ、及び青色位相変調パネル３ａＢを備える。
【０１０４】
赤色位相変調パネル２ａＲは、色分離器１２から照射された赤色照明光の位相を変調し、赤色強度変調パネル３ａＲに赤色照明光を照射する。緑色位相変調パネル２ａＧは、色分離器１２から照射された緑色照明光の位相を変調し、緑色強度変調パネル３ａＧに緑色照明光を照射する。青色位相変調パネル２ａＢは、色分離器１２から照射された青色照明光の位相を変調し、青色強度変調パネル３ａＢに青色照明光を照射する。
【０１０５】
図８に示すように、画像表示装置は、それぞれの強度変調パネルから照射された照明光を合波し照射する合波器１１を備える。合波器１１の機能は、第４の実施形態と同様であるため、詳細な説明は割愛する。
【０１０６】
このように、複数の単色光を合波器１１で合波することにより、画像表示装置は、フルカラーの画像及び動画を表示できる。
【０１０７】
その他の構成要素は、第１の実施形態と同様であるため、詳細な説明は割愛する。それぞれの位相変調パネル及びそれぞれの強度変調パネルは、複数の画素群から成り、画素群ごとに照明光が分割されることはいうまでもない。
【０１０８】
６．本技術に係る第６の実施形態（ブロック単位）
【０１０９】
これまで説明してきた実施形態は、パネルの画素が線順次に書き換えられる形態であった。このような実施形態では、図４で示したように、Ｎ番目のフレーム８ａからＮ＋１番目のフレーム８ｂに滑らかに書きかえられる。
【０１１０】
一方、線順次に準ずる順序で画素が書き換えられる形態であってもよい。例えば、所定のブロック（塊）単位で、複数の画素が一括で書き換えられる形態であってもよい。画素がブロック単位で書き換えられる場合における、位相変調パネルの位相変調パターンが経時的に変化する様子を図９に示す。
【０１１１】
図９において、横軸は時間の経過を示す。右に行くほど、時間が経過していることを示す。縦軸は、位相変調パネルの位相変調パターンを示す。この例では、位相変調パネルは、２つの位相変調画素群（２ａ１と２ａ２）に分割されており、位相変調パネルの上端から下端に向かって順に書き換えられている。はじめに、位相変調パネルの上半分の位相変調画素群２ａ１が順に書き換えられている。その後、位相変調パネルの下半分の位相変調画素群２ａ２が順に書き換えられている。
【０１１２】
左上から右下へ向かう階段状の線で区切られた領域は、フレームを示す。図２で示されたＮ番目のフレームが、図９における８ａである。図３で示されたＮ番目のフレームが、図９における８ｂである。図９に示すように、Ｎ番目のフレーム８ａに対応して位相変調パネルが書き換えられた後に、Ｎ＋１番目のフレーム８ｂに対応して位相変調パネルが書き換えられている。
【０１１３】
時間の経過とともに、位相変調パネルの位相変調パターンが書き換えられる様子を以下に示す。
（１）時間ｔ１の直前の状態は、パネルの全面の位相変調パターンが、Ｎ番目のフレーム８ａに対応している。
（２）時間ｔ１の時点で、上端から６分の１の距離までの位相変調パターンが、Ｎ＋１番目のフレーム８ｂに対応して一括で書き換えられる。
（３）時間ｔ１から時間ｔ２までの間は、位相変調パターンが書き換えられない。
（４）時間ｔ２の時点で、上端から６分の１の距離から、上端から６分の２の距離までの間の位相変調パターンが、Ｎ＋１番目のフレーム８ｂに対応して一括で書き換えられる。
（５）時間ｔ２から時間ｔ３までの間は、位相変調パターンが書き換えられない。
（６）時間ｔ３の時点で、上端から６分の２の距離から、上端から６分の３の距離までの間の位相変調パターンが、Ｎ＋１番目のフレーム８ｂに対応して一括で書き換えられる。
（７）時間ｔ３から時間ｔ４までの間は、位相変調パターンが書き換えられない。
（８）時間ｔ４の時点で、上端から６分の３の距離から、上端から６分の４の距離までの間の位相変調パターンが、Ｎ＋１番目のフレーム８ｂに対応して一括で書き換えられる。
（９）時間ｔ４から時間ｔ５までの間は、位相変調パターンが書き換えられない。
（１０）時間ｔ５の時点で、上端から６分の４の距離から、上端から６分の５の距離までの間の位相変調パターンが、Ｎ＋１番目のフレーム８ｂに対応して一括で書き換えられる。
（１１）時間ｔ５から時間ｔ６までの間は、位相変調パターンが書き換えられない。
（１２）時間ｔ６の時点で、上端から６分の５の距離から下端までの間の位相変調パターンが、Ｎ＋１番目のフレーム８ｂに対応して一括で書き換えられる。
【０１１４】
なお、上述した実施形態では、画素を６回に分けて書き換えたが、６回という回数はあくまでも一例であることはいうまでもない。また、上述した実施形態では、複数の行の画素を一括して書き換えているが、一行を複数回に分割して書き換えてもよい。
【０１１５】
また、上述した実施形態では、位相変調パネルを用いて説明したが、強度変調パネルが、ブロック単位で書き換えられる形態であってもよい。
【０１１６】
なお、本明細書中に記載した効果はあくまで例示であって限定されるものではなく、また他の効果があってもよい。
【０１１７】
なお、本技術は、以下のような構成をとることもできる。
［１］少なくとも、制御部と、
光源部と、
位相変調部と、
強度変調部とを備えており、
前記制御部は、画像信号に対応して、前記光源部、前記位相変調部、及び前記強度変調部のうち少なくともいずれか一つの駆動を制御し、
前記位相変調部は、複数の位相変調画素群から成る位相変調パネルを有し、
前記強度変調部は、複数の強度変調画素群から成る強度変調パネルを有し、
前記光源部は、第１照明光を前記位相変調パネルに照射し、
前記位相変調パネルは、前記光源部から照射された前記第１照明光の位相を変調し、所定の位相変調画素群ごとに第２照明光を分割し、所定の強度変調画素群ごとに前記強度変調パネルに前記第２照明光を照射し、
前記強度変調パネルは、前記位相変調パネルから照射された前記第２照明光の強度を変調する、画像表示装置。
［２］前記位相変調パネル及び前記強度変調パネルは、線順次あるいはこれに準ずる順序で書き換えられる、［１］に記載の画像表示装置。
［３］前記光源部は、コヒーレント光を照射する、［１］又は［２］に記載の画像表示装置。
［４］前記光源部は、レーザー光を照射する、［１］〜［３］のいずれか一つに記載の画像表示装置。
［５］前記位相変調パネル及び／又は前記強度変調パネルは、液晶素子である、［１］〜［４］のいずれか一つに記載の画像表示装置。
［６］前記位相変調パネル及び／又は前記強度変調パネルは、ＭＥＭＳミラーである、［１］〜［５］のいずれか一つに記載の画像表示装置。
［７］前記位相変調パネルは、隣接する前記第２照明光の側端同士が重なり合うように前記第２照明光を照射する、［１］〜［６］のいずれか一つに記載の画像表示装置。
［８］前記光源部は、不可視光線を照射する、［１］〜［７］のいずれか一つに記載の画像表示装置。
［９］複数の前記光源部と、
複数の前記位相変調パネルと、
複数の前記強度変調パネルと、
合波器とをさらに備えており、
それぞれの前記光源部は、赤色、緑色、又は青色の前記第１照明光を照射し、
それぞれの前記位相変調パネルは、赤色、緑色、又は青色の前記２照明光を照射し、
それぞれの前記強度変調パネルは、赤色、緑色、又は青色の第３照明光を照射し、
前記合波器は、それぞれの前記強度変調パネルから照射された前記第３照明光を合波し照射する、［１］〜［８］のいずれか一つに記載の画像表示装置。
［１０］前記合波器は、所定の波長の光を透過し、それ以外の波長の光を反射することにより、前記照明光を合波する、［９］に記載の画像表示装置。
［１１］前記合波器は、ダイクロイックプリズムである、［９］又は［１０］に記載の画像表示装置。
［１２］色分離器と、
複数の前記位相変調パネルと、
複数の前記強度変調パネルと、
合波器とをさらに備えており、
前記色分離器は、前記光源部から照射された白色照明光を、赤色、緑色、又は青色の前記照明光に色分離して、それぞれの前記位相変調パネルに照射し、
それぞれの前記位相変調パネルは、少なくとも赤色、緑色、及び青色の前記第２照明光を照射し、
それぞれの前記強度変調パネルは、少なくとも赤色、緑色、及び青色の第３照明光を照射し、
前記合波器は、それぞれの前記強度変調パネルから照射された前記第３照明光を合波し照射する、［１］〜［７］のいずれか一つに記載の画像表示装置。
［１３］前記色分離器は、所定の波長の光を透過し、それ以外の波長の光を反射することにより、前記白色照明光の色要素を分離する、［１２］に記載の画像表示装置。
［１４］前記色分離器は、ダイクロイックプリズムである、［１２］又は［１３］に記載の画像表示装置。
【符号の説明】
【０１１８】
１      光源部
２      位相変調部
２ａ    位相変調パネル
２ａ１  上半分の位相変調画素群
２ａ２  下半分の位相変調画素群
２ｂ    位相変調パネル駆動部
３      強度変調部
３ａ    強度変調パネル
３ａ１  上半分の強度変調画素群
３ａ２  下半分の強度変調画素群
３ａ３  照射された照明光が重なり合う領域
３ｂ    強度変調パネル駆動部
４      制御部
５      レンズ
６      スクリーン
８ａ    Ｎ番目のフレーム
８ｂ    Ｎ＋１番目のフレーム
１１    合波器
１２    色分離器
２１    第１照明光
２２    第２照明光
２３    第３照明光
２４    第４照明光
【図１】
2020100695.tif 000003
【図２】
2020100695.tif 000004
【図３】
2020100695.tif 000005
【図４】
2020100695.tif 000006
【図５】
2020100695.tif 000007
【図６】
2020100695.tif 000008
【図７】
2020100695.tif 000009
【図８】
2020100695.tif 000010
【図９】
2020100695.tif 000011
【国際調査報告】
2020100695.tif 000012
2020100695.tif 000013
2020100695.tif 000014
2020100695.tif 000015
2020100695.tif 000016